(57)【要約】【課題】  ＯＰＣ領域にディフェクトやこのＯＰＣ領域の位置によってジッタ値がばらついていた場合でも、最適記録条件を決定できる。【解決手段】制御部４から出力される制御信号により、光ディスクＤへの最適記録条件で記録を行う際、光ディスクＤのＯＰＣ領域の記録されている複数の記録条件に対する第１評価データ及び同一の記録条件に対する第２評価データを検出する評価データ検出部９と、複数の第２評価データ中で最も良い信号品質を与えるデータで前記複数の第２評価データを割り算して、複数の第１相対データを求めた後、複数の第1評価データを複数の第１相対データで割り算して複数の第２相対データを求める評価データ演算部１０と、この複数の第２相対データから信号品質曲線を求めて、この曲線から決定される記録条件を制御部４に出力する最適記録条件決定部１１と、を備えている。【選択図】      図１
2007058976.tif 000002
【特許請求の範囲】
【請求項１】
光ディスクの試し書き領域に記録を行った後、再生して得られたデータから最適記録条件を決定して記録再生を行う光ディスク記録再生装置において、
前記光ディスクの試し書き領域における所定の複数の記録位置にそれぞれ異なる記録条件で記録された後、再生して前記試し書き領域に記録されている第１評価データ及び前記複数の記録位置に規格で定めれた最適条件範囲内における同一の記録条件で記録された後、再生して前記試し書き領域に記録されている第２評価データを検出する評価データ検出部と、
前記第２評価データ中の最も良い信号品質を与えるデータで前記第２評価データ中のその他のデータで割り算して、前記その他のデータに対応する複数の第１相対値を求めた後、前記第1評価データを前記複数の第１相対データで割り算して複数の第２相対データを求める評価データ演算部と、
前記複数の第２相対データから信号品質曲線を求め、前記信号品質曲線から最適記録条件を求める最適記録条件決定部と、
前記最適記録条件により前記光ディスクへの記録を行う制御部と、
を備えたことを特徴とする光ディスク記録装置。
【発明の詳細な説明】
【技術分野】
【０００１】
本発明は、光ディスク記録再生装置に係り、光ディスクのＯＰＣ（オプティムパワーコントロール）領域に複数個の記録条件を記録し、この複数の記録条件から得られるジッタ値から最適記録条件を決定する光ディスク記録再生装置に関するものである。
【背景技術】
【０００２】
ＢＤ−ＲＥ規格等で定められた書き換え可能な光ディスクに情報を記録再生する際、実際の信号を記録する前に光ディスクの試し書き領域で試し書きを行い、この後、試し書き領域を再生し、再生された信号を調べて記録するのに適した最適記録条件を決定する。
この試し書き領域をＯＰＣ領域と呼び、このＯＰＣ領域は、ＭＯやＣＤ−ＲＷ等の各フォーマット毎にディスク上に設けられている。図３に示すように、光ディスクＤは、リードイン領域１３とこれの外側に隣接したユーザデータ領域１４とからなり、ＯＰＣ領域１５は、リードイン領域１４内にある。
【０００３】
このような最適記録条件の決定については、特許文献１に記載されている。
即ち、特許文献１には、書き換え可能な光ディスクにデータの記録を行う際に、ＯＰＣ領域に記録パワーを変えてマークを記録して試し書きを行い、このＯＰＣ領域に記録されたマークのジッタ値を測定し、このジッタ値が最小値となったマークが記録された記録パワーを最適記録パワー値として決定することが記載されている。
【特許文献１】特開２０００−１３７９１８号公報
【発明の開示】
【発明が解決しようとする課題】
【０００４】
しかしながら、ＯＰＣ領域に傷や指紋等のディフェクトが存在する場合やこのＯＰＣ領域の位置によってジッタ値にばらつきが生じる場合には、正確なジッタ値が得られないため、記録パワーや記録パルス幅等の最適記録条件の決定ができなかった。
【０００５】
そこで本発明は、上記問題を解決するべく、ＯＰＣ領域にディフェクトやこのＯＰＣ領域内の位置によってジッタ値がばらついていた場合でも、最適記録条件を決定できる光ディスク記録再生装置を提供することを目的とするものである。
【課題を解決するための手段】
【０００６】
上記目的を達成するための手段として、本発明は、光ディスクの試し書き領域に記録を行った後、再生して得られたデータから最適記録条件を決定して記録再生を行う光ディスク記録再生装置において、前記光ディスクの試し書き領域における所定の複数の記録位置にそれぞれ異なる記録条件で記録された後、再生して前記試し書き領域に記録されている第１評価データ及び前記複数の記録位置に規格で定めれた最適条件範囲内における同一の記録条件で記録された後、再生して前記試し書き領域に記録されている第２評価データを検出する評価データ検出部と、前記第２評価データ中の最も良い信号品質を与えるデータで前記第２評価データ中のその他のデータで割り算して、前記その他のデータに対応する複数の第１相対値を求めた後、前記第1評価データを前記複数の第１相対データで割り算して複数の第２相対データを求める評価データ演算部と、前記複数の第２相対データから信号品質曲線を求め、前記信号品質曲線から最適記録条件を求める最適記録条件決定部と、前記最適記録条件により前記光ディスクへの記録を行う制御部と、を備えたことを特徴とする光ディスク記録再生装置を提供する。
【発明の効果】
【０００７】
本発明によれば、複数の第２相対データから信号品質曲線を用いて、最適記録条件を決定しているので、ＯＰＣ領域にディフェクトやこのＯＰＣ領域の位置によってジッタ値がばらついていた場合でも、最適記録条件での記録を行うことができる。
【発明を実施するための最良の形態】
【０００８】
以下、本発明の実施の形態につき、好ましい実施例により、図面を参照して説明する。
【０００９】
（実施例）
図１は、本発明の光ディスク記録再生装置の実施例のブロック図である。
図２は、９ＥＣＣの各ブロックにおける記録パワーに対するジッタ値を示す図である。
従来と同一構成には同一符号を付す。
光ディスクＤのＯＰＣ領域１５には、第１評価データと第２評価データが記録されている。第１評価データは、ＯＰＣ領域内のトラックに９つの異なる記録パワー条件で記録した後、再生して得られたジッタ値が９つの誤り訂正ブロック（ＥＣＣブロック）に記録されたデータである。第２評価データは、上記した９つの異なる記録パワー条件で記録したと同一のトラックに固定記録条件で記録した後、再生して得られたジッタ値が９つのＥＣＣブロックに記録されたデータである。この固定記録条件とは、規格で定められた最適条件範囲内で条件である。
ここに言う記録パワー条件は、半導体レーザから出力されるレーザの記録パワー条件であり、９つの異なる記録パワー条件は、１〜９に向って記録パワーが大きくなっていくものとする。
【００１０】
図１に示すように、本発明の実施例の光ディスク記録再生装置１は、光ピックアップ２と、エンコーダ３と、制御部４と、レーザ駆動部５と、スピンドルモータ６と、ＲＦ（Ｒａｄｉａｌ  Ｆｒｅｑｅｎｃｙ）信号処理部７と、デコーダ８と、評価データ検出部９と、評価データ演算部１０と、最適記録条件決定部１１と、を有している。そして、評価データ検出部９と、評価データ演算部１０と、最適記録条件決定部１１とで最適記録条件設定部１２を構成している。
【００１１】
光ピックアップ２は、記録再生用レーザ光を出射する半導体レーザ２Ａを有し、この記録再生用レーザ光を光ディスクＤの情報面に照射して、情報の記録を行い、或いはこの情報面で反射された反射光を光電変換して再生ＲＦ信号を出力する。
エンコーダ３は、外部より供給される記録用データをエンコードする。
制御部４は、光ディスクＤの情報面に記録する制御信号及び後述するスピンドルモータ６の回転制御を行う制御信号を出力する。
レーザ駆動部５は、制御部４から出力される制御信号により、エンコーダ３によりエンコードされた記録用データに基づいて光ピックアップ２の半導体レーザ２Ａから記録用レーザ光を出射させる。
【００１２】
スピンドルモータ６は、制御部４から出力される制御信号により、光ディスクＤのＣＬＶ制御或いはＣＡＶ制御を行って回転させる。
ＲＦ信号処理部７は、光ピックアップ２より出力される再生ＲＦ信号の処理を行って再生信号、サーボ制御を行うためのサーボ制御信号或いは、ＯＰＣ領域に記録されている第１、第２評価データを出力する。
【００１３】
デコーダ８は、ＲＦ信号処理部７から出力される再生信号のうち、光ディスクＤの情報面に記録されている情報信号をデコードして光ディスクＤの情報を再生する。
評価データ検出部９は、ＲＦ信号処理部７から出力される再生信号のうち、光ディスクＤのＯＰＣ領域１５に記録されている第１、第２評価データを検出する。
【００１４】
評価データ演算部１０は、第２評価データ中の最も小さいジッタ値で各ＥＣＣブロック内の評価データを割り算して各ＥＣＣブロック毎に第１相対データを求めた後、この各相対値で第１評価データ中の各ＥＣＣブロック内の評価データを割り算して各ＥＣＣブロック毎に第２相対データを求める。
【００１５】
ここで、図２中、▲は、９つの異なる記録パワー条件で記録した後、再生して得られたジッタ値がＯＰＣ領域１５内のトラックにＥＣＣブロック単位で記録されたデータ、●は、固定記録パワー条件で記録した後、再生して得られたジッタ値がＯＰＣ領域内のトラックにＥＣＣブロック単位で記録されたデータ、■は、第２相対データを示している。実線の曲線は、評価データ演算部１０で求められた第２相対データから９ＥＣＣブロックの記録パワー条件に対するジッタ値を近似するジッタ曲線であり、点線の曲線は、第１評価データから求めた９ＥＣＣブロックの記録パワー条件に対するジッタ値を近似するジッタ曲線である。
【００１６】
最適記録条件決定部１１は、評価データ演算部１０で求められた第２相対データから９ＥＣＣブロックの記録パワー条件に対するジッタ値を近似するジッタ曲線を求め、このジッタ曲線から決定される最適記録パワー条件を制御部４に出力する。
図２に示すように、点線で示す曲線は、第１評価データから求めた９ＥＣＣブロックの記録条件に対するジッタ値を近似するジッタ曲線であるが、ジッタ値は、このジッタ曲線からずれを生じている。これに対して、実線で示す曲線は、第２相対値から求めたジッタ曲線であるが、各ジッタ値は、このジッタ曲線に一致している。このことから、第２相対データから求めたジッタ曲線から算出した記録パワー条件を用いて記録を行うことにより、ジッタ値の小さい記録をすることができる。
【００１７】
次に、光ディスク記録再生装置１の動作について説明する。
まずは、光ディスクＤの情報面に情報を記録する場合について説明する。
光ピックアップ２の半導体レーザ２Ａからレーザ光を出射して光ディスクＤのＯＰＣ領域１５に照射し、第１、第２評価データを読み取り、前記した方法により求めた最適記録パワー条件を制御部４に出力する。制御部４からは、制御信号が出力され、スピンドルモータ６を駆動させて、光ディスクＤを回転させる。
【００１８】
また、上記した制御信号及びエンコーダ３によりエンコードされた記録用データをレーザ駆動部５に出力し、制御信号に基づいてエンコードされた記録データを光ピックアップ２に出力する。そして、光ピックアップ２は、半導体レーザ２Ａから記録用レーザ光を出射させて光ディスクＤの情報面に記録する。
【００１９】
次に、光ディスクＤの情報面に記録された情報を再生する場合について説明する。
予め求められた最適記録条件が最適記録条件決定部１１からスピンドルモータ６に出力され、スピンドルモータ６により光ディスクＤを回転させる。また、最適記録条件は、制御部４にも出力され、制御部４から制御信号が出力され、光ピックアップ２の半導体レーザ２Ａから再生用レーザ光を出射させて光ディスクＤの情報面に照射する。
【００２０】
図示しない光検出器が光ディスクＤから反射された反射光を受光し、光電変換してＲＦ信号をＲＦ信号処理部７に出力する。
ＲＦ信号処理部７は、ＲＦ信号から再生信号を得るための信号をデコーダ８に出力して再生を行う。
【００２１】
以上のように、本発明の実施例によれば、第２相対データから求められた記録条件に対するジッタ値を近似するジッタ曲線を用いて、記録条件を決定しているので、ＯＰＣ領域にディフェクトやこのＯＰＣ領域の位置によってジッタ値がばらついていた場合でも、最適記録条件での記録を行うことができる。
なお、第１、第２評価データとしてジッタ値を用いたがエラーレートを用いても良い。実施例では、レーザ光の記録パワー条件を用いたが、レーザ光の記録パルス幅を用いても良い。
【図面の簡単な説明】
【００２２】
【図１】本発明の光ディスク記録再生装置の実施例のブロック図である。
【図２】９ＥＣＣの各ブロックにおける記録パワーに対するジッタ値を示す図である。
【図３】光ディスクの領域を説明するための図である。
【符号の説明】
【００２３】
１…光ディスク記録再生装置、２…光ピックアップ、２Ａ…半導体レーザ、３…エンコーダ、４…制御部、５…レーザ駆動部、６…スピンドルモータ、７…ＲＦ信号処理部、８…デコーダ、９…評価データ検出部、１０…評価データ演算部、１１…最適記録条件決定部、１２…最適記録条件設定部
【図１】
2007058976.tif 000003
【図２】
2007058976.tif 000004
【図３】
2007058976.tif 000005